(57)【要約】  喫煙品パックに挿入される喫煙品の束（１）が開示されている。喫煙品（１）は、その長手方向軸が互いに平行な状態で複数の列に配置される。束は、包装材（２）のシートで包まれ、喫煙品（３）の端部を越えて延びる包装材の部分が喫煙品（３）の長手方向軸に対して斜めの角度の面に位置する。
2013527092.tif 000002
【特許請求の範囲】
【請求項１】
喫煙品パックに挿入するための喫煙品の束であって、喫煙品は、その長手方向軸が互いに平行な状態で複数の列に配され、束が包装材からなるシートで包まれ、喫煙品の端部を越えて延びる包装材の一部が、喫煙品の長手方向軸に対して斜めの角度の面に位置する喫煙品の束。
【請求項２】
各列の喫煙品が、その隣接する列から長手方向にオフセットしていることを特徴とする請求項１記載の喫煙品の束。
【請求項３】
喫煙品の長手方向軸に対して斜めの角度の面に位置する包装材の部分が、喫煙品の一端を越えて延びていることを特徴とする請求項１または２記載の喫煙品の束。
【請求項４】
前記一端が、喫煙品パックに挿入するための下方端であることを特徴とする請求項３記載の喫煙品の束。
【請求項５】
喫煙品の長手方向軸に対して斜めの角度の面に位置する包装材の部分が、喫煙品の両端を越えて延びていることを特徴とする請求項１または２記載の喫煙品の束。
【請求項６】
喫煙品の一端を越えて延びる包装材の部分が、喫煙品の他端を越えて延びる包装材の部分と平行であることを特徴とする請求項５記載の喫煙品の束。
【請求項７】
両端の間を延びる包装された束の両側が、平行四辺形形状であることを特徴とする請求項６記載の喫煙品の束。
【請求項８】
喫煙品の一端を越えて延びる包装材の部分が、喫煙品の他端を越えて延びる包装材の部分に対して角度が付けられることを特徴とする請求項５記載の喫煙品の束。
【請求項９】
包装された束が、長斜方形であることを特徴とする請求項８記載の喫煙品の束。
【請求項１０】
添付図面を参照し、実質的に説明された喫煙品の束。
【請求項１１】
前記束が、喫煙品の両端に亘って延びる上下壁を含み、これら上下壁が喫煙品の両端を越えて延びた隣接する包装材の面に対して平行な面に位置する喫煙品パック内に収容されることを特徴とする請求項１乃至１０いずれか１項記載の喫煙品の束。
【発明の詳細な説明】
【技術分野】
【０００１】
本発明は、包装された喫煙品の束およびパックに収容される喫煙品の束に関する。
【背景技術】
【０００２】
紙巻きタバコなどの喫煙品は、通常、立方体形状のパックに収容され、パックの一般的な機能は、紙巻きタバコを貯蔵し、紙巻きタバコを機械的および環境的損傷から保護することである。種々の紙巻きタバコパックの構成が、従来から知られており、ヒンジ式蓋付きパックおよびスライド式のインサートを有するシェル式パックなどがある。不規則な形状のパックも知られており、例えば、下記特許文献１は、基部が側壁に対して斜めの角度で延びるパックを開示し、パックに保持された２列の紙巻きタバコが長手方向において互いにオフセットして、後列が前列よりわずかに高くなって喫煙品をパックから取り出しやすくしている。
【０００３】
この特許文献１から知られている段が設けられた構造には、喫煙品の下方端部がパックの角度のついた基部と縁部で接触するだけなので、喫煙品を圧力が集中するポイントに露出させ、結果として喫煙品に損傷を与えることになるという問題がある。従って、この収納構造は、例えば、喫煙品の端部全体が、パックの底壁の上に接触して位置し、その上に乗っている標準的なヒンジ式蓋パックと同様に保護機能を満たしていない。
【０００４】
特許文献１は、上記の問題を支持構造体をパックに設けて克服しようとするものであり、この構造体は、喫煙品を収容するための凹部を有するパックを横断して延びる壁を含む。この凹部は、喫煙品の直径よりほんのわずか大きく、これにより凹部内を延びる各喫煙品は、その凹部に滑り嵌めによって保持される。喫煙品は、パック内に保持、支持され、喫煙品の端部は、パックの底壁からわずかに距離をあけて位置する。
【０００５】
この特許文献１から知られているパックには、支持構造体がパックの組み立て、製造をさらに複雑にし、支持壁を形成するために追加の材料を使用し、製造コストが高くなるという難点がある。さらに、各喫煙品を凹部に挿入する前に凹部に注意深く位置合わせしなければならず、パックに喫煙品の束を挿入するのが極めて困難である。
【発明の概要】
【発明が解決しようとする課題】
【０００６】
本発明は、上述の問題点を解決または実質的に軽減する包装された喫煙品の束およびこの包装された束を収容するパックを提供することを目的としている。
【課題を解決するための手段】
【０００７】
本発明では喫煙品パックに挿入するための喫煙品の束を提供し、喫煙品は、その長手方向軸が互いに平行な状態で複数の列に配され、束が包装材からなるシートで包まれ、喫煙品の端部を越えて延びる包装材の一部が、喫煙品の長手方向軸に対して斜めの角度の面に位置する。
【０００８】
好ましくは各列の喫煙品は、その隣接する列から長手方向にオフセットしている。
【０００９】
１つの実施態様では、喫煙品の長手方向軸に対して斜めの角度の面に位置する包装材の部分が、喫煙品の一端を越えて延びている。この一端は、喫煙品パックに挿入するための下方端であってもよい。
【００１０】
別の実施態様では、喫煙品の長手方向軸に対して斜めの角度の面に位置する包装材の部分が、喫煙品の両端を越えて延びている。
【００１１】
喫煙品の一端を越えて延びる包装材の部分は、喫煙品の他端を越えて延びる包装材の部分と平行であることが好ましい。
【００１２】
両端の間を延びる包装された束の両側は、平行四辺形形状であってもよい。
【００１３】
好ましくは喫煙品の一端を越えて延びる包装材の部分は、喫煙品の他端を越えて延びる包装材の部分に対して角度が付けられる。
【００１４】
包装された束は、長斜方形であってもよい。
【００１５】
本発明の別の態様では喫煙品の束が提供され、この束は、喫煙品の両端に亘って延びる上下壁を含み、これら上下壁が喫煙品の両端を越えて延びた隣接する包装材の面に対して平行な面に位置する喫煙品パック内に収容される。
【００１６】
本発明の実施態様を添付図面を参照し、あくまで例示を目的として以下に説明する。
【図面の簡単な説明】
【００１７】
【図１ａ】本発明による包装された喫煙品の束の斜視図である。
【図１ｂ】図１ａに示した包装された束の２本の喫煙品が見えるようにした断面図である。
【図２ａ】本発明による別の包装された喫煙品の束の斜視図である。
【図２ｂ】図２ａに示した包装された束の２本の喫煙品が見えるようにした断面図である。
【図３ａ】本発明による包装された束の別の実施態様の斜視図である。
【図３ｂ】図３ａの実施態様の２本の喫煙品が見えるようにした断面図である。
【図４ａ】本発明による包装された束のさらに別の実施態様の斜視図である。
【図４ｂ】図４ａに示した包装された束の２本の喫煙品が見えるようにした断面図である。
【図５】図１ａおよび１ｂに示した喫煙品の束を収容するためのパックの斜視図である。
【図６】図２ａおよび２ｂに示した喫煙品の束を収容するためのパックの斜視図である。
【図７】図３ａおよび３ｂに示した喫煙品の束を収容するためのパックの斜視図である。
【図８】図４ａおよび４ｂに示した喫煙品の束を収容するためのパックの斜視図である。
【図９】図５に例示した長斜方形喫煙品パックを形成するためのブランクを示す。
【発明を実施するための形態】
【００１８】
図面を参照すると、図１ａおよび１ｂに、喫煙品パックに挿入するための包装材２で包装された喫煙品の束１が示されている。包装材は、箔などの材料からなるシートを含み、包装された喫煙品の束の断面を示す図１ｂからわかるようにこれは喫煙品３の束を包み、喫煙品が各喫煙品の長手方向軸が互いに平行になった状態で複数の列に配されている。
【００１９】
包装材２のシートは、喫煙品３の長手方向表面および両端部５ａ、５ｂを覆っている。図１ａおよび１ｂから判るように、包装材２のある部分は、喫煙品３の端部５ａ、５ｂを越えて喫煙品３の長手方向軸に対して斜めの角度の面で延びている。この構造は、喫煙品の１つの列を喫煙品３の長手方向の他の列に対してオフセットした状態で維持し、これによりユーザーは喫煙品の上がった列から容易に喫煙品３を取り出すことができる。さらに、包装材２のシートに包まれている喫煙品３の束が対応する長斜方形形状の喫煙品パック５に位置する場合、喫煙品の端部５ａ、５ｂは、パックの角度が付けられた底部と喫煙品の縁部がほとんど接触しないので、本明細書の導入部で説明したパックに比べてほとんど圧力が集中しないポイントに晒されることになる。この効果は、喫煙品３自体の摩擦および喫煙品３とシート材との摩擦によって達成され、従って喫煙品に与える潜在的な損傷の可能性が低くなる。
【００２０】
当然のことながら本発明の範囲は、さらに図２ａから４ｂに示すような別の実施態様を含み、ここでも上記の実施態様で説明した利点が得られる。例えば、図２ａおよび２ｂに示すように喫煙品３の下方端部５ｂを越えて延びる包装材２の部分は、喫煙品３の長手方向軸に対して斜めの角度の面に位置してもよく、上端５ａを覆う包装材２の部分は、長手方向軸に対して直角である。図１ａおよび１ｂを参照して説明した実施態様と同様に、喫煙品３の１つの列は、喫煙品３のもう一方の列に対してオフセットしており、これによって喫煙品の２つの列が垂直方向に位置合わせされた場合より、ユーザーは、より簡単に喫煙品３を取り出すことができる。図３ａおよび３ｂに示す実施態様では、喫煙品の上端５ａを越えて延びる包装材２の部分は、喫煙品３の長手方向軸に対して斜めになっているが、下端５ｂを覆う包装材２の部分は、長手方向軸に対して直角になっている。この構造は、通常、喫煙品３の２つの列が垂直方向に位置合わせされるように喫煙品３を束ねるはずであるが、喫煙品３自体の摩擦および喫煙品３と包装材２との摩擦によって、最初に喫煙品３の１つの列が喫煙品３のもう一方の列に対して喫煙品３の長手方向にオフセットして保持される。
【００２１】
図４ａおよび４ｂに例示する別の実施態様では、包装された喫煙品３の束の外形は、全体的に台形の形状を有する。この実施態様では、喫煙品３の対向する端部５ａ、５ｂを越えて延びる包装材２の部分が、喫煙品３の長手方向軸に対して斜めの角度で互いに実質的に直行する面に位置している。上述の実施態様と同様に、喫煙品の２つの列は、互いにオフセットしており、喫煙品の下端５ｂでの圧迫を減少させている。
【００２２】
喫煙品の束の包装するために使用される材料は、好ましくは箔であるが、当然のことながら別の材料を使用して喫煙品を環境的損傷から保護し、喫煙品の両端に応力が集中するのを妨げてもよい。
【００２３】
当然のことながら上述の包装された喫煙品３の束は、種々の異なる長斜方形または台形形状のパック１１、１２、１３、１４に挿入してもよく、喫煙品の端部に集中する接触点を減らすという利点が得られ、喫煙品を環境的損傷から守ることができる。従って、少なくとも１つの喫煙品３が残りの喫煙品に対してオフセットしている包装された喫煙品の束の全体的な形状および外形は、全体的に不規則な形状のパックに合うように変えることができる。
【００２４】
上述の包装された喫煙品の束１、８、９、１０を挿入できる長斜方形形状のパック１１、１２、１３、１４の例を図５から８に示す。図１ａおよび１ｂを参照して説明した包装された喫煙品の束１は、図５に例示した長斜方形形状のパック１１に挿入することが可能であると想定され、他の３つの実施態様の包装された喫煙品の束８、９、１０は、それぞれ図６、７および８に例示したパック１２、１３、１４に嵌り、包装された喫煙品の束の外形は、パックの外形に整合する。
【００２５】
図５から８に例示した喫煙品パック１１、１２、１３、１４を形成するためのブランク１５の例を図９に示す。ブランク１５は、「Ａ」、「Ｂ」、「Ｅ」および「Ｆ」で示した角度を変えて、パックを全体的に長斜方形形または台形形状にすることによって簡単に変更することが可能である。さらに、「Ａ」および「Ｂ」で示す角度は、「Ｅ」および「Ｆ」で示す角度とは別個に変えて、またはその逆で変えて、パック１１、１２、１３、１４の上下端を互いに独立して変えて、パック１１、１２、１３、１４の一端が喫煙品の長手方向軸に対して包装された喫煙品の束の端部に亘って直角に延びるようにし、対向する端部が長手方向軸に対して斜めの面に位置するように形成してもよい。
【００２６】
本発明の実施態様を示し、説明したが、当業者にとっては当然のことながら上記の説明は、好ましい実施態様の説明に過ぎないと見なすべきであり、添付の特許請求の範囲内に入るその他の実施態様もこの開示の一部を形成すると見なされる。
【先行技術文献】
【特許文献】
【００２７】
【特許文献１】米国特許第５，５８４，３８９号明細書
【図１Ａ】
2013527092.tif 000003
【図１Ｂ】
2013527092.tif 000004
【図２Ａ】
2013527092.tif 000005
【図２Ｂ】
2013527092.tif 000006
【図３Ａ】
2013527092.tif 000007
【図３Ｂ】
2013527092.tif 000008
【図４Ａ】
2013527092.tif 000009
【図４Ｂ】
2013527092.tif 000010
【図５】
2013527092.tif 000011
【図６】
2013527092.tif 000012
【図７】
2013527092.tif 000013
【図８】
2013527092.tif 000014
【図９】
2013527092.tif 000015
【手続補正書】
【提出日】平成23年9月26日(2011.9.26)
【手続補正１】
【補正対象書類名】特許請求の範囲
【補正対象項目名】全文
【補正方法】変更
【補正の内容】
【特許請求の範囲】
【請求項１】
喫煙品の束と外方パックとを含み、束の喫煙品が、その長手方向軸が互いに平行な状態で複数の列に配され、束が包装材からなるシートで包まれ、喫煙品の端部を越えて延びる包装材の一部が、喫煙品の長手方向軸に対して斜めの角度の面に位置し、前記外方パックが喫煙品の両端に亘って延びる上下壁を含み、これら上下壁が喫煙品の両端を越えて延びた隣接する包装材の面に対して平行な面に位置する喫煙品パック内に収容される喫煙品パケット。
【請求項２】
各列の喫煙品が、その隣接する列から長手方向にオフセットしていることを特徴とする請求項１記載の喫煙品パケット。
【請求項３】
喫煙品の長手方向軸に対して斜めの角度の面に位置する包装材の部分が、喫煙品の一端を越えて延びていることを特徴とする請求項１または２記載の喫煙品パケット。
【請求項４】
前記一端が、喫煙品パックに挿入するための下方端であることを特徴とする請求項３記載の喫煙品パケット。
【請求項５】
喫煙品の長手方向軸に対して斜めの角度の面に位置する包装材の部分が、喫煙品の両端を越えて延びていることを特徴とする請求項１または２記載の喫煙品パケット。
【請求項６】
喫煙品の一端を越えて延びる包装材の部分が、喫煙品の他端を越えて延びる包装材の部分と平行であることを特徴とする請求項５記載の喫煙品パケット。
【請求項７】
両端の間を延びる包装された束の両側が、平行四辺形形状であることを特徴とする請求項６記載の喫煙品パケット。
【請求項８】
喫煙品の一端を越えて延びる包装材の部分が、喫煙品の他端を越えて延びる包装材の部分に対して角度が付けられることを特徴とする請求項５記載の喫煙品パケット。
【請求項９】
包装された束が、長斜方形であることを特徴とする請求項８記載の喫煙品パケット。
【国際調査報告】
2013527092.tif 000016
2013527092.tif 000017
2013527092.tif 000018
2013527092.tif 000019